(57)【要約】 【課題】  操作ハンドルを障子横引きの際の取手として使用しても、操作ハンドルの破損を招くことのない操作ハンドルの引手兼用構造を提供するものである。【解決手段】  外障子６の戸先框８の室内外方向面８ａに、障子開閉方向の回転軸線周りに施錠位置Ｐ２と開錠位置Ｐ１との間で回転するように操作ハンドル１４の基端部１４ａを軸支する。また、戸先框８の室内外方向面８ａにハンドル支持部材２０を固着する。操作ハンドル１４を開錠位置Ｐ１とすると操作ハンドル先端部１４ｂがハンドル支持部材２０のハンドル先端嵌脱部２１に嵌り込む。その状態で操作ハンドル１４を握って外障子６の開閉を行うと、操作ハンドル１４が基端部１４ａと先端部１４ｂとで支持されることになるので操作ハンドル１４の破損が防止される。【選択図】  図２
2005213760.tif 000002
【特許請求の範囲】
【請求項１】
横引き障子の縦框に、障子開閉方向の回転軸線周りに施錠位置と開錠位置との間で回転するように操作ハンドルの基端部を軸支し、横引き障子を閉鎖した状態で該操作ハンドルを施錠位置として障子を閉鎖維持し、操作ハンドルを開錠位置として障子を横引きできるようにしてある横引きサッシにおいて、前記操作ハンドルを設けた横引き障子の縦框に、開錠位置の操作ハンドル先端部が嵌り込み可能なハンドル先端嵌脱部を備えたハンドル支持部材を固着し、該ハンドル先端嵌脱部は、操作ハンドル先端部が嵌り込んだ状態において、操作ハンドルに対する横引き障子開閉方向の荷重を受ける形状に形成されていることを特徴とする横引きサッシにおける操作ハンドルの引手兼用構造。
【請求項２】
操作ハンドルはその基端部が縦框の室内外方向面に軸支され、縦框に平行な開錠位置では操作ハンドルは縦框の室内外方向寸法内に納められ、また、開錠位置のハンドル先端部と嵌脱するハンドル支持部材も、縦框の室内外方向寸法内に納められていることを特徴とする請求項１記載の横引きサッシにおける操作ハンドルの引手兼用構造。
【請求項３】
ハンドル先端嵌脱部は、ハンドル先端形状に倣った形状に形成されて操作ハンドルに対する横引き障子開閉方向の荷重を受ける嵌合面と、施錠位置から開錠位置に向かう操作ハンドルの回転方向側面を受ける受け面を備えていることを特徴とする請求項１または２記載の横引きサッシにおける操作ハンドルの引手兼用構造。
【発明の詳細な説明】
【技術分野】
【０００１】
この発明は、横引きサッシに係るものであり、詳しくは、障子を閉鎖状態に固定するための操作ハンドルを、障子開閉時の引手として兼用させるための構造に関する。
【背景技術】
【０００２】
従来の内外障子が横引きできるようにした気密横引きサッシ(引き違いサッシ)として、本願出願人が先に出願した特許文献１、２に記載のものがあり、これらにおいては、内障子または外障子の縦框（召し合わせ框）と外障子の縦框(戸先框)の側面(室内外方向面)に夫々台座を設け、その台座にハンドルの基部を障子開閉方向のハンドル軸線周りに回動するように軸支し、内外障子を閉鎖した状態で操作ハンドルを開錠位置から施錠位置に回転させると、ハンドルにより外障子の召し合わせ框内に収容されている上下の引寄部材が窓枠と係合して内、外障子を窓枠に密着させ、また、内障子または外障子の召し合わせ框のハンドルに設けたロッキングアームが外障子または内障子の召し合わせ框のロッキング受けと係合して内外障子を互いに引寄せるようにしている。
【０００３】
また、特許文献３では、内、外障子を互いに引き寄せて障子閉鎖状態を維持する掛け金としてのクレセントを内障子に設け、そのクレセントと別に外障子の戸先框に引手を設けているものが開示してある。特許文献４にも、引違い障子に引手をつけたものが開示してある。
【０００４】
【特許文献１】実公平５−１０１２６号公報
【特許文献２】実公平７−３２８４３号公報
【特許文献３】特開平６−１７５６１号公報
【特許文献４】特開平１１−２５６８９２号公報
【発明の開示】
【発明が解決しようとする課題】
【０００５】
特許文献１、２のような、比較的大型の操作ハンドルを有する横引きサッシでは、施錠状態の障子を横引きするときには、先ず、戸先框と召し合わせ框の操作ハンドルを開錠位置に回動して内外障子の引寄状態を解除する。その後に、障子を横引きするのであるが、操作者は、開錠位置にある戸先框の操作ハンドルを握って外障子の横引き作業を行なうことが多い。操作ハンドルはその基部が外障子の戸先框に片持ち軸支されているため、上記のように開錠位置にある操作ハンドルを握って障子横引き方向に力を加えることが繰り返されると、基部を支えている軸部にがたが生じ、部品破損の遠因ともなる問題がある。また、引き違い障子において、外障子の戸先框にこのような操作ハンドルを備えている場合では、上述したような操作ハンドルを握っての障子開閉時に、操作ハンドルにハンドル軸に対する斜め方向の力が加えられると操作ハンドルが施錠方向に回転して外障子の戸先框から内障子側にハンドルが突出した状態となり、内障子の開閉操作に支承をきたす問題もある。
操作ハンドルを握らずに障子の横引きを行なわせるために、特許文献３や特許文献４記載のように障子開閉専用の取手を別途設けても良いが、障子の縦框に突起物が多数設けられる結果、サッシ内観が低下する問題がある。
本願は、これらの従来技術に鑑み、操作ハンドルを横引きの際の取手として使用しても、操作ハンドルの破損を招くことのない操作ハンドルの引手兼用構造を提供するものである。
【課題を解決するための手段】
【０００６】
本発明の操作ハンドルの引手兼用構造では、横引き障子の縦框に、障子開閉方向の回転軸線周りに施錠位置と開錠位置との間で回転するように操作ハンドルの基端部を軸支し、横引き障子を閉鎖した状態で該操作ハンドルを施錠位置として障子を閉鎖維持し、操作ハンドルを開錠位置として障子を横引きできるようにしてある横引きサッシにおいて、前記操作ハンドルを設けた横引き障子の縦框に、開錠位置の操作ハンドル先端部が嵌り込み可能なハンドル先端嵌脱部を備えたハンドル支持部材を固着し、該ハンドル先端嵌脱部は、操作ハンドル先端部が嵌り込んだ状態において、操作ハンドルに対する横引き障子開閉方向の荷重を受ける形状に形成されていることを特徴とする。
操作ハンドルはその基端部が縦框の室内外方向面に軸支され、縦框に平行な開錠位置では操作ハンドルは縦框の室内外方向寸法内に納められ、また、開錠位置のハンドル先端部と嵌脱するハンドル支持部材も、縦框の室内外方向寸法内に納められている。
ハンドル先端嵌脱部は、ハンドル先端形状に倣った形状に形成されて操作ハンドルに対する横引き障子開閉方向の荷重を受ける嵌合面と、施錠位置から開錠位置に向かう操作ハンドルの回転方向側面を受ける受け面を備えている。
【発明の効果】
【０００７】
本願装置では、操作ハンドルを開錠位置に回すと、操作ハンドルの先端部が、支持部材の、操作ハンドルに対する横引き障子開閉方向の荷重を受ける形状に形成されたハンドル先端嵌脱部に嵌り込み、操作ハンドルは、その基端部と先端部とが支持されるので、横引き障子の縦框に対して両端支持されることになる。したがって、開錠位置の操作ハンドルを握って障子を開閉方向に移動させても、操作ハンドルが片持ちの場合のように、基端部のみに無理な力が作用しないので、操作ハンドル装置が破損しにくくなる。また、障子開閉方向に対して斜め方向の力で操作ハンドルを引っ張った場合でも、操作ハンドル先端部がハンドル先端嵌脱部に嵌り込んでいるので、簡単には回転せず、操作ハンドルが縦框の内側に突出することがない。
【実施例】
【０００８】
内外障子を引き違いできる横引きサッシに適用した例で説明する。上下枠１，２、左右縦枠３，４を枠組みしてサッシ枠５が構成してある。サッシ枠５には、内外障子６，７が横引き可能に嵌め込まれている。外障子６の縦框である戸先框８及び召し合わせ框９の室内外方向面８ａ，９ａには、夫々操作ハンドル装置１０，１１のハンドル台座１２，１３が固着されている。ハンドル台座１２，１３には操作ハンドル１４，１５の基端部１４ａ，１５ａに一体のハンドル軸１６が、障子開閉方向の軸線周りに回動するように挿通されて戸先框８内部または召し合わせ框９内部に突出している。戸先框８内部及び召し合わせ框９内部にはそのハンドル軸１６の回転で動作する周知の障子引寄装置１７が内装されている。
【０００９】
該引寄装置１７において、戸先框８の上下には、図示しない枠側のレールや引寄片と係脱する引寄部材１７ａが設けてある。召し合わせ框９の操作ハンドル１５と台座１３間にはロッキングアーム１８が配置されており、操作ハンドル１５を図１〜図４に示す垂直な開錠位置から斜め下方の施錠位置とすると、ロッキングアーム１８が内障子７のロッキング受け１９に係合して内外障子６，７を互いに一体とし、かつ、前記引寄部材１７ａが操作ハンドル１５のハンドル軸の回転でサッシ枠５側と係合して外障子６を室内側に引き寄せて内外障子６，７を開閉不能とし、開錠位置とするとロッキングアーム１８がロッキング受け１９から離脱すると共に引寄部材１７ａが枠側から離脱して内外障子６，７が横引きできるようになっている。こうした構造は、例えば特開昭５７−１９３６７６号公報に開示されている。また、戸先框８の操作ハンドル１４にはロッキングアーム１８が備えられていないだけで引寄装置１７の動作は同様であり、操作ハンドル１４を図３に二点鎖線で示す施錠位置Ｐ２とすると引寄部材１７ａと窓枠５との係合で外障子６を室内側に引き寄せ、図３に実線で示す開錠位置Ｐ１とすると引寄部材１７ａが窓枠５から離脱する。尚、操作ハンドル１４，１５は、開錠位置Ｐ１にあるとき戸先框８、召し合わせ框９と平行となった状態で戸先框８、召し合わせ框９の室内外方向寸法Ｌ内に納められ、障子６，７の横引きを妨げないようになっている。
【００１０】
外障子６の戸先框８には、前記台座１２の上方位置に、ハンドル支持部材２０が固着されている。ハンドル支持部材２０は、開錠位置Ｐ１の操作ハンドル１４の先端部１４ｂが嵌り込み可能なハンドル先端嵌脱部２１が設けてある。ハンドル先端嵌脱部２１は、ハンドル先端部１４ｂ形状に倣った形状に形成されて操作ハンドル１４に対する横引き障子開閉方向の荷重を受ける嵌合面２２と、施錠位置Ｐ２から開錠位置Ｐ１に向かう操作ハンドル１４の回転方向側面１４ｃを受ける受け面２３を備えている。このハンドル支持部材２０は樹脂部材から形成されており、操作ハンドル１４を施錠位置Ｐ２から開錠位置Ｐ１としたときに操作ハンドル先端部１４ｂがハンドル先端嵌脱部２１を弾性変形させて嵌まり込み、操作ハンドル１４を引手として外障子６を横引きした際に、開錠位置Ｐ１から施錠位置Ｐ２へ簡単に回転してしまうのを弾性により支えるようになっている。このハンドル支持部材２０も操作ハンドル１４，１５のように、縦枠８，９の室内外方向寸法Ｌ内（図３，図４に示すようにガラス２４の室内側面から縦框８の室内側面間）に納められており、内外障子６，７の横引きを妨げないようになっている。
【００１１】
次に、動作について説明する。両操作ハンドル１４，１５が施錠位置Ｐ２にあるとき、前記のように召し合わせ框９側の操作ハンドル装置１１ではロッキングアーム１８とロッキング受け１９の係合により内外障子６，７が互いに一体とされ、両操作ハンドル装置１０，１１により外障子６の各縦框８，９の障子引寄装置１７によって内外障子６，７が一体に室内側に引き寄せられ、内外障子６，７全体が窓枠５に設けられた気密材２５に圧着される。この各操作ハンドル１４，１５が施錠位置Ｐ２にある状態から開錠位置Ｐ１とすると、各縦框８，９の障子引寄装置１７による引寄状態が解かれ、召し合わせ框９側の操作ハンドル装置１１ではロッキングアーム１８がロッキング受け１９から離脱し、戸先框８側の操作ハンドル装置１０では操作ハンドル先端部１４ｂがハンドル支持部材２０のハンドル先端嵌脱部２１に嵌まり込む。
【００１２】
この操作ハンドル１４がハンドル支持部材２０に嵌合した状態で、操作ハンドル１４を握って外障子６の横引き作業を行うと、操作ハンドル先端部１４ｂがハンドル先端嵌脱部２１の嵌合面２２に支持され、操作ハンドル１４は先端部１４ｂと基端部１４ａとで戸先框８に対して両端支持された状態で引かれることになる。また、外障子６の横引き時に障子開閉方向に対して斜め方向の力で操作ハンドル１４を引っ張った場合でも、操作ハンドル先端部１４ｂがハンドル先端嵌脱部２１に嵌まり込んでいるので、操作ハンドル１４が室内方向に簡単には回転しない。この開錠位置Ｐ１から再び施錠位置Ｐ２とする場合には障子開閉方向に略真っ直ぐに操作ハンドル１４を引っ張れば、操作ハンドル先端部１４ｂがハンドル先端嵌脱部２１から外れて施錠位置Ｐ２とすることができる。このため操作ハンドル１４を引手として兼用でき、破損する恐れが極めて小さくなる。尚、本願実施例では引き違いサッシで説明したが片引きサッシにも摘要することができ、この場合は戸先框に設けた操作ハンドルにロッキングアームとロッキング受けを設けて施錠するようにしても良いし、操作ハンドルとは別に召し合わせ框にクレセントを設けて施錠するようにしても良い。
【図面の簡単な説明】
【００１３】
【図１】本願発明の操作ハンドル装置を備えた横引きサッシを室内側から見た図である。
【図２】操作ハンドルの引き手兼用構造を示す正面図である。
【図３】操作ハンドルの引き手兼用構造を示す側面図である。
【図４】図２のＩＶ−ＩＶ線断面図である。
【図５】図２のＶ−Ｖ線断面図である。
【符号の説明】
【００１４】
６  障子
８  縦框（戸先框）
８ａ  室内外方向面
１４  操作ハンドル
１４ａ  基端部
１４ｂ  操作ハンドル先端部
１４ｃ  回転方向側面
２０  ハンドル支持部材
２１  ハンドル先端嵌脱部
２２  嵌合面
２３  受け面
Ｌ  室内外方向寸法
Ｐ１  開錠位置
Ｐ２  施錠位置
【図１】
2005213760.tif 000003
【図２】
2005213760.tif 000004
【図３】
2005213760.tif 000005
【図４】
2005213760.tif 000006
【図５】
2005213760.tif 000007